(57)【特許請求の範囲】
【請求項１】
二色成形によって軸筒本体の外周にグリップ部が設けられたグリップ付き軸筒において、
前記軸筒本体には、内部に向かって貫通孔と端部方向の内壁に複数の溝部が形成され、
前記グリップ部は、
軸筒本体の外周に形成されたグリップ本体と、
前記グリップ本体と連続して形成され、前記貫通孔を通じて軸筒本体の内部に形成された内方部とからなり、
前記内方部はゲート部と、貫通孔を通過する貫通部と、
軸筒本体の内部に形成され貫通部から軸筒本体の端部方向に沿った前記複数の溝部に形成されるとともに軸筒本体の内壁よりも内方に突出した突出部を形成した延伸部とからなることを特徴とするグリップ付き軸筒。
【請求項２】
前記延伸部は、軸筒本体の端部まで形成されているとともに、延伸部の端面にゲート部を形成したことを特徴とする請求項１に記載のグリップ付き軸筒。
【発明の詳細な説明】
【技術分野】
【０００１】
本発明は、ボールペン、シャープペンシルなどの筆記具の軸筒に関する。より具体的にはユーザーにより把持されるグリップ部が２色成形により設けられた軸筒に関する。
【背景技術】
【０００２】
グリップが取り付けられた筆記具は数多く知られている。このグリップ付き筆記具を形成する方法として射出成形がある。射出成形では、金型に設けられたゲート部から樹脂を金型内の製品部に射出後、ゲート部においてゲートカットを行い、ゴムグリップを形成するものである。
ゲート部は、その残り方や位置によって軸体の美観を損ねるおそれがある。また、ゲート跡が大きいと、把持した際に手に不快感を与えたり、キャップの嵌合を阻害するおそれという問題がある。
【０００３】
本問題を解決する従来の技術として、特許文献１が存在する。
【特許文献１】特開平７−２９９９８５号公報  特許文献１では、先体が螺着される軸体のねじ部の後方にゲート部を設けたものであるが、ゲート部は依然としてグリップ部の外表面に形成されており、上述の問題は依然として残っている。
【発明の開示】
【発明が解決しようとする課題】
【０００４】
そこで本発明は、軸筒本体にユーザーにより把持されるグリップ部を設けたグリップ付き軸筒において、ゲート跡によって軸筒の美観を損ねることなく、また、手に不快なひっかかり感を与えないグリップ付き軸筒を提供しようとするものである。
【課題を解決するための手段】
【０００５】
課題を解決する第１の手段は、二色成形によって軸筒本体の外周にグリップ部が設けられたグリップ付き軸筒において、前記軸筒本体には、内部に向かって貫通孔と端部方向の内壁に溝部が形成され、前記グリップ部は、軸筒本体の外周に形成されたグリップ本体と、前記グリップ本体と連続して形成され、前記貫通孔を通じて軸筒本体の内部に形成された内方部とからなり、該内方部にゲート部を形成した。そして前記内方部は、貫通孔を通過する貫通部と、軸筒本体の内部に形成され、貫通部から軸筒本体の端部方向に形成された延伸部とからなり、前記延伸部を、軸筒本体内壁に形成された溝部に形成するとともに、軸筒本体の内壁よりも内方に突出した突出部を形成したことを特徴とするものである。
この第１の手段により、ゲート部が軸筒本体の外周にないため外観が向上する。また、グリップ部の外周にゲート部があると、把持時の感触を阻害する。具体的には、使用時、手に不快なひっかかり感を与えたり、スムーズなキャップ嵌合を阻害する。また、ゲート跡があると、そのゲート跡がひっかかりとなるため、手指によるグリップ部のはがれのきっかけとなってしまう。軸筒本体の内方部にゲート部があれば、上記の問題を防止できる。また、貫通部が存在することで、グリップ部のめくれ、はがれがより効果的に防止できる。更に、延伸部が内部の口金などと接するようにすれば、よりはがれなどを防止できるようになるとともに、口金などのガタツキなども防止できる。さらに突出部を形成することで、口金などを軸筒本体の端部にはめ込む際に、ガタ止めや回り止めとすることができる。
なお、軸筒本体の端部とは、前端部、後端部のいずれでもよい。また、本明細書において前方とは、筆記チップが配置されている方をいい、後方とは、筆記チップとは反対方向をいう。
【０００９】
第２の手段は、前記第１の手段において、前記延伸部を、軸筒本体の端部まで形成するとともに、延伸部の端面にゲート部を形成したことを特徴とするものである。
軸筒本体の内部にゲート部を設けるとコアピン等の内部にゲートを形成するトンネルゲート等を設ける必要が生じ、金型構造が複雑になる傾向がある。その結果、量産性が低下したり、コスト高になる。延伸部を軸筒本体の端部まで形成し、かつ、延伸部の端面に形成することで、金型構造を簡易にし、量産性を向上させ、コスト低下が可能となる。
【発明の効果】
【００１０】
ゲート跡によって軸筒の美観を損ねることなく、また、手に不快なひっかかり感を与えないグリップ付き軸筒を提供することができる。
【発明を実施するための最良の形態】
【００１１】
以下本発明の実施の形態を図１から図７を用いて説明する。図１から図５は第１の実施形態を、図６は第２の実施形態を、図７は第３の実施形態を示す。
【００１２】
図１は本発明のグリップ付き軸筒を用いた筆記具を示す縦断面図、図２は図１の要部拡大図である。本発明の筆記具は、グリップ付き軸筒１０と、グリップ付き軸筒１０の後方に固定された尾栓２０と、グリップ付き軸筒１０の内部に収納されたリフィール３０と、グリップ付き軸筒１０の先端に固定された口金４０とから構成されている。
前記尾栓は、尾端部２２と、尾端部２２の前方に形成された外径が尾端部よりも細い円筒部２３と、円筒部２３の後方に形成された雄ネジ部２４とからなる。雄ネジ部２４が、グリップ付き軸筒１０の後方に形成された雌ネジ部１９と螺合されることで、尾栓２０はグリップ付き軸筒１０に係止されている。
【００１３】
リフィール３０は、内部にインクを収納したインク収納管３１と、インク収納管３１の前方に圧入固定された継手３２と、継手３２の前方に圧入固定された筆記チップ３３とからなる。継手３２の内部には、規制部材３４とボール部材３５とが設けられている。筆記チップ３３が上向きのときに、ボール部材３５が継手内部の弁座に当接することで上向き筆記等のときの逆流が防止される。また、筆記チップ３３が下向きのときは、規制部材３４があるために、ボール部材３５の筆記チップ３３方向への移動が規制され、筆記チップ３３の後端がボール部材３５による塞がれることがない。このため、円滑なインクの流れとすることができる。
なお、筆記チップ３３は、ボールを用いたボールペン用チップに限定されるものではない。
【００１４】
図１では図示していないが、インク収納管３１の後端が、尾栓２０の内部で尾端部２２と当接することで、筆記荷重が働いた際のリフィール３０の後方への移動が規制されている。
口金４０は、グリップ付き軸筒１０の後方から挿入され圧入されることで、グリップ付き軸筒１０の内壁と圧接している。さらに、後方に外方へ拡がった顎部４１が形成されているため、この顎部４１がグリップ付き軸筒１０に当接し、前方への移動が規制されている。
【００１５】
次に、グリップ付き軸筒１０について、図３を用いて詳細に説明する。図３はグリップ部の拡大図を示したものであり、（Ａ）は上面図、（Ｂ）は正面図を示している。
グリップ付き軸筒１０は、軸筒本体１１と、グリップ部７０とからなる。
軸筒本体１１には、円周方向に３等分した角度（１２０度）に、貫通孔１２が形成されている。
グリップ部７０は、軸筒本体１１の前方に設けられ、軸筒本体１１の外周面を覆うかたちで帯状に形成されたグリップ本体７１と、内方部７２とからなる。この内方部７２は、グリップ本体７１と連続して形成され、前記貫通孔１２を通じて、軸筒本体１１の外表面側から内方に向かって形成された貫通部７３と、この貫通部７３から軸筒本体１１の前端部方向に向かって形成された延伸部７４とからなる。グリップ本体７１は、図２に図示してあるが、軸筒本体１１の前方に設けられた軸筒凹部１３の内部に形成されている。
【００１６】
軸筒本体１１の前方内壁には、溝部１７が形成され延伸部７４はこの溝部１７の内部に形成されている。延伸部７４には、軸筒本体１１の内壁１４よりも内方に突出した突出部７５が形成されている。この突出部７５を熱可塑性エラストマーで形成することで、弾力性を付与することができ、口金をガタツキなく係止することができる。また、口金の回り止めとなる。なお、突出部７５の材質は、熱可塑性エラストマー、かつ、軸筒本体１１と接着若しくは溶着するタイプとすることが望ましい。
さらに、延伸部７４は軸筒本体１１の前端部まで形成されている。そして、この延伸部７４の端面にゲート部Ｇを形成してある。
このように、ゲート部Ｇをグリップ本体７１の外表面に設けずに、内方部７２に形成したため、ゲート跡によって軸筒本体１１の美観を損ねることなく、また、手に不快なひっかかり感を与えないグリップ付き軸筒１０を提供することができる。
【００１７】
なお、第１の実施形態のようにゲート部Ｇを延伸部７４の端面に形成せず、延伸部７４の中程（延伸部７４の端面と貫通孔１２との間）に形成することもできる。
また、延伸部７４を軸筒本体１１の前端部まで延伸せず、軸筒本体１１の前端部の手前（軸筒本体１１の前端部と貫通孔１２との間）まで形成し、この延伸部７４にゲート部Ｇを形成することもできる。
また、ゲート部Ｇの大きさが大きくなければ外観上目立つことを防止できるため、軸筒本体１１の前端部を越えて延伸部７４を形成し、この外方へ露出した延伸部７４にゲート部Ｇを形成することもできる。すなわち、必ずしも延伸部７４の端部と軸筒本体の端部が一致していなくてもよい。
【００１８】
次に、グリップ付き軸筒１０の製造方法について、図４及び図５を用いて説明する。
図４は一次側成形時、即ち、軸筒本体１１の成形時を示す縦断面図である。キャビティー５０内面は、軸筒本体１１の外周形状に合わせた形状となっている。このキャビティー５０の内部に可動側コアピン６１及び固定側コアピン６０が配置され、この両コアピンとキャビティー５０との隙間である製品部５１に樹脂が充填され、軸筒本体１１が形成される。樹脂の充填は、ランナー５２及びゲート５４を通過した樹脂が製品部５１に流入されることにより行われる。
【００１９】
図５は二次側成形時、即ち、グリップ部７０の成形時を示す縦断面図である。固定側コアピン６０を一次側成形時で使用したものよりも小径とし、軸筒本体１１の前方部の内周面と固定側コアピン６０との間に隙間５５を形成する。固定側プレート５３とキャビティー５０との境界をゲート５４とし、ここから樹脂を製品部５１に充填する。樹脂は、隙間５５、貫通孔１２を通過後、軸筒本体１１の軸筒凹部１３に到達する。その結果、隙間５５が延伸部７４、貫通孔１２内の樹脂が貫通部７３、軸筒本体１１の外周部の樹脂がグリップ本体７１としてグリップ部７０が形成される。グリップ部７０が形成後は、ゲート５４でランナー５２とグリップ部７０とが切り離され延伸部７４の端面にゲート跡が形成される。
【００２０】
このように、延伸部７４や貫通部７３の内周面にゲート部Ｇを設けず、延伸部７４を軸筒本体１１の端部まで形成し、延伸部７４の端面にゲート部Ｇ形成すると、後述の実施形態２のようにコアピンにランナーを形成しないでよいため、金型構造を簡易にすることができる。
なお、軸筒本体１１の材質としては、例えば、ポリカーボネート（ＰＣ）、アクリロニトリル−スチレン樹脂（ＡＳ）、ＡＢＳ樹脂、ＰＭＭＡなどを用いることができ、この場合、グリップ部７０の材質として、ポリエステル系のエラストマーを用いることが望ましい。また、軸筒本体１１の材質を、例えば、ポリプロピレン（ＰＰ）を用いることができ、この場合、グリップ部７０の材質として、スチレン系エラストマー又はオレフィン系エラストマーを用いることが望ましい。
【００２１】
次に第２の実施形態を、図６を用いて説明する。
図６は、貫通部７３の内周面にゲート部Ｇを形成したものである。ゲート部Ｇを形成するためには、コアピンにランナーやゲートを形成するのが一般的である。この場合も、ゲート部Ｇがグリップ部７０の外表面に現れないため、ゲート跡によって軸筒の美観を損ねることなく、また、手に不快なひっかかり感を与えないグリップ付き軸筒を提供することができる。
【００２２】
次に第３の実施形態を、図７を用いて説明する。図７は第３の実施形態を示す図であり、（Ａ）は上面図、（Ｂ）は縦断面図を示している。
図７は、延伸部７４を軸筒本体１１の内壁に沿って、かつ、全周に渡って形成し、かつ、軸筒本体１１の前端部まで形成したものである。
延伸部７４が軸筒本体１１の内壁の全周に渡って形成されているため、例えば、軸筒本体１１の端面付近に十分な肉厚を確保できない場合、全周とすることで、樹脂の流動が確保可能となる。
さらに、口金を設ける場合は、回り止めの機能やガタツキ防止の機能をより発揮することができる。
【図面の簡単な説明】
【００２３】
【図１】第１の実施形態を示すもので、グリップ付き軸筒を用いた筆記具を示す縦断面図である。
【図２】図１の要部拡大図である。
【図３】グリップ部の拡大図である
【図４】軸筒本体の成形時を示す縦断面図である。
【図５】グリップ部の成形時を示す縦断面図である。
【図６】第２の実施形態を示す縦断面図である。
【図７】第３の実施形態を示す図である。
【符号の説明】
【００２４】
１０  グリップ付き軸筒
１１  軸筒本体
１２  貫通孔
１３  軸筒凹部
１４  軸筒本体内壁
１７  溝部
１９  雌ネジ部
２０  尾栓
２２  尾端部
２３  円筒部
２４  雄ネジ部
３０  リフィール
３１  インク収納管
３２  継手
３３  筆記チップ
３４  規制部材
３５  ボール部材
４０  口金
４１  顎部
５０  キャビティー
５１  製品部
５２  ランナー
５３  固定側プレート
５４  ゲート
５５  隙間
６０  固定側コアピン
６１  可動側コアピン
６２  凸部
６３  凹部
７０  グリップ部
７１  グリップ本体
７２  内方部
７３  貫通部
７４  延伸部
７５  突出部
Ｇ  ゲート部
【図１】
0004636585.tif 000002
【図２】
0004636585.tif 000003
【図３】
0004636585.tif 000004
【図４】
0004636585.tif 000005
【図５】
0004636585.tif 000006
【図６】
0004636585.tif 000007
【図７】
0004636585.tif 000008